(57)【要約】【課題】あるユーザが知覚した情報を、伝わりやすい形態で、当該ユーザを含む第三者に提示する。【解決手段】情報処理装置は、ユーザが知覚した情報のダイジェストを作成するための情報を抽出するための条件を受け付ける手段と、前記ユーザによって知覚された情報を蓄積した情報源から、前記条件に適合するダイジェスト元情報を抽出する手段と、前記抽出したダイジェスト元情報を用いて、前記ダイジェストを生成して出力する手段と、を備える。【選択図】図１
2012242862.tif 000002
【特許請求の範囲】
【請求項１】
ユーザが知覚した情報のダイジェストを作成するための情報を抽出するための条件を受け付ける手段と、
前記ユーザによって知覚された情報を蓄積した情報源から、前記条件に適合するダイジェスト元情報を抽出する手段と、
前記抽出したダイジェスト元情報を用いて、前記ダイジェストを生成して出力する手段と、
を備える情報処理装置。
【請求項２】
前記ユーザが知覚した情報は、前記ユーザが情報処理装置に対して入力または出力した情報である請求項１の情報処理装置。
【請求項３】
前記条件として、日時情報の範囲を設定可能であり、
前記設定した日時情報の範囲を用いて、前記ダイジェスト元情報を抽出する請求項１または２の情報処理装置。
【請求項４】
前記日時情報の範囲の起点または終点となる日時を設定可能である請求項３の情報処理装置。
【請求項５】
前記条件として、前記ダイジェスト元情報の種別を設定可能であり、
前記設定された種別に属する情報を用いて、前記ダイジェスト元情報を抽出する請求項１から４いずれか一の情報処理装置。
【請求項６】
前記条件として、情報に付与された位置情報を設定可能であり、
前記設定された位置情報を用いて、前記ダイジェスト元情報を抽出する請求項１から５いずれか一の情報処理装置。
【請求項７】
前記ユーザによって知覚された情報を蓄積した情報源から抽出した抽出データを記憶する抽出データ記憶部と、
前記抽出データ記憶部に記憶されたデータに基づいて、ダイジェストを生成するためのルールを定めたダイジェスト生成ルールを記憶するダイジェスト生成ルール記憶部と、を備え、
前記抽出データ記憶部および前記ダイジェスト生成ルール記憶部を参照して、ダイジェストを生成する請求項１から６いずれか一の情報処理装置。
【請求項８】
前記ダイジェストの少なくとも一部は、前記ユーザが知覚した情報に含まれる頻度の高いキーワードを抽出して生成される請求項１から７いずれか一の情報処理装置。
【請求項９】
前記ダイジェストは、
（Ａ）前記設定した日時情報の範囲におけるユーザの通信相手、
（Ｂ）前記設定した日時情報の範囲におけるユーザが入出力したテキストのうち出現頻度の高いキーワード、
（Ｃ）前記設定した日時情報の範囲におけるユーザが撮影した写真または動画の情報、
（Ｄ）前記設定した日時情報の範囲におけるユーザが再生した楽曲の情報、
（Ｅ）前記設定した日時情報の範囲におけるユーザの主要スケジュール、
のいずれか１以上を含む請求項３から８いずれか一の情報処理装置。
【請求項１０】
前記情報源として、他のユーザが入力または出力した情報を使用可能である請求項１から９いずれか一の情報処理装置。
【請求項１１】
前記ダイジェストとともに、前記ダイジェストをまとめた第２のダイジェストを生成し、出力する請求項１から１０いずれか一の情報処理装置。
【請求項１２】
前記条件は、ユーザによって設定される請求項１から１１いずれか一の情報処理装置。
【請求項１３】
前記条件は、タイマに保持された日時情報に基づいて自動的に設定される請求項１から１２いずれか一の情報処理装置。
【請求項１４】
ユーザが知覚した情報のダイジェストを作成するための情報を抽出するための条件を受け付けるステップと、
前記ユーザによって知覚された情報を蓄積した情報源から、前記条件に適合するダイジェスト元情報を抽出するステップと、
前記ダイジェスト元情報を用いて、前記ダイジェストを作成して出力するステップと、
を含むダイジェスト作成方法。
【請求項１５】
前記ユーザが知覚した情報は、前記ユーザが情報処理装置に対して入力または出力した情報である請求項１４のダイジェスト作成方法。
【請求項１６】
前記条件として、日時情報の範囲の設定を受け付け、
前記設定された日時情報の範囲を用いて、前記ダイジェスト元情報を抽出する請求項１４または１５のダイジェスト作成方法。
【請求項１７】
前記日時情報の範囲の起点または終点となる日時の設定を受け付ける請求項１６のダイジェスト作成方法。
【請求項１８】
前記条件として、ダイジェストを作成するための情報の種別の設定を受け付け、
前記設定された種別に属する情報を用いて、前記ダイジェスト元情報を抽出する請求項１４から１７いずれか一のダイジェスト作成方法。
【請求項１９】
前記条件として、情報に付与された位置情報の設定を受け付け、
前記設定された位置情報を用いて、前記ダイジェスト元情報を抽出する請求項１４から１８いずれか一のダイジェスト作成方法。
【請求項２０】
ユーザによって知覚された情報を蓄積した情報源から、前記ユーザが知覚した情報のダイジェストを作成するための情報を抽出するための条件に適合するダイジェスト元情報を抽出する処理と、
前記抽出したダイジェスト元情報を用いて、前記ダイジェストを生成して出力する処理と、
を前記条件を参照可能なコンピュータに実行させるプログラム。
【発明の詳細な説明】
【技術分野】
【０００１】
本発明は、情報処理装置、ダイジェスト作成方法およびプログラムに関し、特に、ユーザが過去に入力した情報のダイジェストを作成する情報処理装置、ダイジェスト作成方法およびプログラムに関する。
【背景技術】
【０００２】
特許文献１に、携帯端末装置の使用記録を時系列で記憶するメモリと、使用記録の概要および使用時のユーザの感情を分析するデータ分析部と、使用記録およびデータ分析部による分析結果に基づいて、ブログを自動的に作成するブログ作成部と、を備え、ブログの記事を簡易に作成できる携帯端末装置が開示されている。
【０００３】
また  特許文献２には、ダウンロードしたアプリケーション、着信メロディー、音楽、接続先のＵＲＬ、携帯端末上のカメラで撮影した画像や動画ならびに撮影した操作、スケジューラーへの予定登録等携帯端末の操作履歴を自動で保存し、保存した操作履歴にユーザがコメントを付加する手段を有し、コメントを付加した操作履歴情報を自動的にＮＷを経由してサーバーに記録するシステムが開示されている。
【先行技術文献】
【特許文献】
【０００４】
【特許文献１】特開２００８−２４２７６２号公報
【特許文献２】特開２００８−２７０４２号公報
【発明の概要】
【発明が解決しようとする課題】
【０００５】
以下の分析は、本発明によって与えられたものである。特許文献１、２の携帯端末装置や自動ブログ生成システムは、インターネットやＳＮＳ（Ｓｏｃｉａｌ  Ｎｅｔｗｏｒｋｉｎｇ  Ｓｅｒｖｉｃｅ）で公開するブログを作成するための素材を集める作業を省力化するものであり、ユーザは、ブログを作成しようとする度に、一定の作業をする必要がある。
【０００６】
例えば、特許文献１の携帯端末装置では、ユーザは、表示部に一覧表示された分析結果一覧から、ブログに書きたい項目を選択し、タイトルやカテゴリの選択、記事入力を行う必要がある（特許文献１の段落００３８−００４０）。同様に、特許文献２の自動ブログ生成システムも、操作履歴の保存対象となる機能の操作が行われた際に、コメント入力を求める操作が必要となる。
【０００７】
一方、近年のスマートフォンやタブレット型端末に代表されるように、ユーザが携行する機器は高機能化かつ多機能化している。画像の管理するアルバムアプリ（以下、アプリケーションプログラムを単に「アプリ」という。）やスケジュール管理アプリなどの個別のアプリは提供されているものの、これらの情報処理装置に入力し、または、これらの情報処理装置を介して出力等した種々の情報（知覚した情報）を伝わりやすい内容に加工するツールは提供されていないのが現状である。
【０００８】
本発明は上記した事情に鑑みてなされたものであって、その目的とするところは、あるユーザが知覚した情報を、伝わりやすい形態で、当該ユーザを含む第三者に提示することのできるダイジェストの作成機能を備えた情報処理装置、ダイジェスト作成方法およびプログラムを提供することにある。
【課題を解決するための手段】
【０００９】
本発明の第１の視点によれば、ユーザが知覚した情報のダイジェストを作成するための情報を抽出するための条件を受け付ける手段と、前記ユーザによって知覚された情報を蓄積した情報源から、前記条件に適合するダイジェスト元情報を抽出する手段と、前記抽出したダイジェスト元情報を用いて、前記ダイジェストを生成して出力する手段と、を備える情報処理装置が提供される。
【００１０】
本発明の第２の視点によれば、ユーザが知覚した情報のダイジェストを作成するための情報を抽出するための条件を受け付けるステップと、前記ユーザによって知覚された情報を蓄積した情報源から、前記条件に適合するダイジェスト元情報を抽出するステップと、前記抽出したダイジェスト元情報を用いて、前記ダイジェストを作成して出力するステップと、を含むダイジェスト作成方法が提供される。本方法は、ユーザが入力した情報を要約したダイジェストを作成するための素材となる情報を抽出するための条件の設定を受け付けるコンピュータという、特定の機械に結びつけられている。
【００１１】
本発明の第３の視点によれば、ユーザによって知覚された情報を蓄積した情報源から、前記ユーザが知覚した情報のダイジェストを作成するための情報を抽出するための条件に適合するダイジェスト元情報を抽出する処理と、前記抽出したダイジェスト元情報を用いて、前記ダイジェストを生成して出力する処理と、を前記条件を参照可能なコンピュータに実行させるプログラムが提供される。なお、このプログラムは、コンピュータが読み取り可能な記憶媒体に記録することができる。即ち、本発明は、コンピュータプログラム製品として具現することも可能である。
【発明の効果】
【００１２】
本発明によれば、あるユーザが知覚した情報を、伝わりやすい形態で、当該ユーザを含む第三者に提示することが可能となる。
【図面の簡単な説明】
【００１３】
【図１】本発明の概要を説明するための図である。
【図２】本発明の第１の実施形態の構成を表したブロック図である。
【図３】本発明の第１の実施形態の携帯端末に表示される初期画面の例である。
【図４】図３の状態から機能設定メニューを呼び出した状態の画面の例である。
【図５】本発明の第１の実施形態の携帯端末に表示される対象情報設定画面の例である。
【図６】本発明の第１の実施形態の携帯端末に表示される対象期間設定画面の例である。
【図７】本発明の第１の実施形態の携帯端末の抽出データ記憶部に格納されるデータの構造を示す図である。
【図８】本発明の第１の実施形態の携帯端末に表示されるダイジェストの例である。
【図９】図８の項目Ｐｅｏｐｌｅに表示する文言を作成するためのダイジェスト生成ルールの例である。
【図１０】図８の項目Ｋｅｙｗｏｒｄｓに表示する文言を作成するためのダイジェスト生成ルールの例である。
【図１１】図８の項目Ｐｈｏｔｏに表示する文言を作成するためのダイジェスト生成ルールの例である。
【図１２】図８の項目Ｍｕｓｉｃに表示する文言を作成するためのダイジェスト生成ルールの例である。
【図１３】図８の項目Ｓｃｈｅｄｕｌｅに表示する文言を作成するためのダイジェスト生成ルールの例である。
【図１４】図８の項目Ｓｐｅｃｉａｌに表示する文言を作成するためのダイジェスト生成ルールの例である。
【図１５】図８に示したダイジェストのタイトルとなる文言を作成するためのダイジェスト生成ルールを示す図である。
【図１６】図８のダイジェストを表示するための表示データの構造を示す図である。
【図１７】本発明の第１の実施形態の携帯端末の動作を表したフローチャートである。
【図１８】本発明の第１の実施形態の携帯端末に表示されるダイジェストの別の例である。
【図１９】図１７のステップＳ００４において表示されるダイジェストの例である。
【図２０】本発明の第１の実施形態の携帯端末に表示されるダイジェストの別の例である。
【図２１】本発明の第２の実施形態の携帯端末に表示されるダイジェストの例である。
【図２２】本発明の第２の実施形態の構成を表したブロック図である。
【図２３】図１８の第２ダイジェストを作成するためのダイジェスト生成ルールの例である。
【図２４】図１９のダイジェストを表示するための表示データの構造を示す図である。
【図２５】本発明の第２の実施形態の携帯端末に表示されるダイジェストの別の例である。
【図２６】本発明の第３の実施形態の構成を表したブロック図である。
【図２７】本発明の第４の実施形態の携帯端末に表示される画面の例である。
【発明を実施するための形態】
【００１４】
はじめに、本発明の概要について図面を参照して説明する。以下、この概要に付記した図面参照符号は、理解を助けるための一例として各要素に便宜上付記したものであり、本発明を図示の態様に限定することを意図するものではない。
【００１５】
図１に示すように、本発明は、条件設定受付手段１１と、情報抽出手段１２と、ダイジェスト生成出力手段１３と、を備える情報処理装置１０にて実現できる。
【００１６】
前記条件設定受付手段１１は、ユーザから、当該ユーザが知覚した情報のダイジェストを作成するための素材となるダイジェスト元情報を抽出するための条件の設定を受け付ける手段である。ここで、ユーザが知覚した情報とは、情報処理装置に対して入力または情報処理装置から出力されることによりユーザに知覚された情報のことをいう。
【００１７】
前記情報抽出手段１２は、前記ユーザによって知覚された情報を蓄積した情報源２０から、前記条件に適合するダイジェスト元情報を抽出する手段である。なお、ユーザによって知覚された情報を蓄積した情報源には、当該情報処理装置に限らず、他の情報処理装置や周辺機器に備えられた記憶装置に保持された情報を含めることができる。当該情報源に蓄積された情報がユーザによって知覚されたか否かは、当該情報源へのアクセスログや、、情報処理装置のキャッシュメモリに保持されたデータから判別することができる。また、このアクセスログの中で、特に、同一ユーザであることを示すフラグ等が付与されている場合、当該フラグ等を用いて同一ユーザが保持する情報源から取得した情報をダイジェスト元情報として抽出することも可能である。また、この際、アクセスログを元に再度、外部の情報源にアクセスすることも可能である。
【００１８】
前記ダイジェスト生成出力手段１３は、前記抽出した情報を用いて、前記ダイジェストを生成し、所定の出力先に出力する手段である。
【００１９】
例えば、前記情報源が、情報処理装置のメモリに蓄積された電子メール、写真、動画、スケジュールデータである場合、本発明の情報処理装置は、これらから、前記ユーザによって指定された条件に適合するものを抽出してダイジェストを作成する。
【００２０】
例えば、前記条件として期間を設定した場合、前記作成されたダイジェストは、ユーザが当該期間に送受信した電子メール、ＳＮＳでの発言、写真、動画、スケジュールデータ等を要約して作成される。これにより、ユーザは、当該期間に、自身がどのような相手とコミュニケーションを行ったのかや、どこに行きどのような写真、動画を撮ったのか、仕事やプライベートでの関心事などを振り返ることが可能となる。
【００２１】
また、前記条件として期間を設定する場合において、その期間や情報源から抽出する情報をさらに絞り込むことで、ダイジェストの内容をより詳細なものに変更することができる。また、前記ダイジェストが意図したものとなっていない場合には、その期間や情報源から抽出する情報を拡げることも可能である。なお、図１では、情報処理装置１０の外部に情報源があるものとして図示しているが、情報処理装置１０の補助記憶装置等に格納された情報を情報源として用い、情報抽出手段１２が、前記条件に適合する情報を抽出するものとしてもよい。また、前記情報源として、情報処理装置に接続された各種機器、例えば、カメラ、ゲーム機、音楽プレーヤー、各種メディア等に入っている情報も含めることができる。
【００２２】
［第１の実施形態］
続いて、本発明の第１の実施形態について図面を参照して詳細に説明する。図２は、本発明の第１の実施形態の構成を表したブロック図である。以下、第１の実施形態では、本発明を携帯端末に適用した例を挙げて説明するが、本発明は、携帯端末に限らず、各種のコンピュータのほか、携帯音楽プレーヤー、デジタルカメラ、携帯スキャナ、小型プロジェクター装置などにも適用することが可能である。
【００２３】
図２を参照すると、通信データ記憶部２０１と、スケジュールデータ記憶部２０２と、撮像データ記憶部２０３と、楽曲再生履歴記憶部２０４と、メモデータ記憶部２０５と、アプリデータ管理部２１０と、ダイジェスト生成条件受付部１１０と、抽出条件記憶部１１１と、ダイジェスト生成ルール記憶部１１２と、素材抽出部１２０と、抽出データ記憶部１２１と、ダイジェスト生成部１３０と、表示データ記憶部１３１と、タッチパネル１４０と、を備えた構成が示されている。なお、本実施形態では、情報処理装置１００は、情報表示機能と情報入力機能を兼ね備えたタッチパネル１４０を備えるものとして説明するが、タッチパネル１４０に代えて、液晶表示装置等の表示部と、キーボードやポインティングデバイス等の入力装置を備えた構成とすることもできる。
【００２４】
なお、図２に示したダイジェスト生成条件受付部１１０、素材抽出部１２０およびダイジェスト生成部１３０は、コンピュータに実行させる１つ以上のコンピュータプログラムにより実現することができる。
【００２５】
通信データ記憶部２０１は、電子メール、ＳＮＳ、通話などの情報処理装置が備える通信機能を用いてやり取りされた通信データを記憶する。具体的には、電子メールの送受信履歴や、ＳＮＳや（マイクロ）ブログにおける発言履歴、通話履歴などが該当する。
【００２６】
スケジュールデータ記憶部２０２は、情報処理装置が備えるスケジュール管理機能を用いて入力されたスケジュールデータを記憶する。
【００２７】
撮像データ記憶部２０３は、情報処理装置が備えるカメラ機能を用いて撮影（入力）された写真や動画像データを記憶する。
【００２８】
楽曲再生履歴記憶部２０４は、情報処理装置が備える楽曲再生機能を用いて再生された楽曲の再生履歴を記憶する。
【００２９】
メモデータ記憶部２０５は、情報処理装置が備えるメモ機能（ＮＯＴＥ機能）を用いて入力されたメモデータを記憶する。
【００３０】
アプリデータ管理部２１０は、上記した通信データ記憶部２０１〜メモデータ記憶部２０５を管理する手段である。なお、図２の例では、アプリデータ管理部２１０が、通信データ記憶部２０１〜メモデータ記憶部２０５を管理するものとしているが、情報処理装置が備える機能毎にアプリデータ管理部２１０を設け、それぞれ対応する記憶部を管理する構成とすることもできる。また、上記した通信データ記憶部２０１〜メモデータ記憶部２０５は、あくまで一例であり、その一部を省略することができる。また、上記した通信データ記憶部２０１〜メモデータ記憶部２０５以外に、他のアプリで入力されるデータを記憶する記憶部を追加することもできる。
【００３１】
ダイジェスト生成条件受付部１１０は、タッチパネル１４０を介して、ダイジェストを生成するための条件として、前記アプリデータ管理部２１０からデータを抽出する条件（抽出条件）を受け付け、抽出条件記憶部１１１に格納する手段である。ダイジェスト生成条件受付部１１０は、上記した条件設定受付手段１１に相当する。
【００３２】
図３は、本実施形態の情報処理装置において、本発明のダイジェスト生成アプリを起動させた状態の初期画面の例である。図３の状態から所定の操作を行われると、ダイジェスト生成条件受付部１１０は、図４に示すように、対象情報変更ボタン３１と、対象期間変更ボタン３２とを表示する。
【００３３】
図５は、対象情報変更ボタン３１が起動された場合にダイジェスト生成条件受付部１１０により表示される対象情報設定画面の例である。図５の例では、チェックボックスにチェックを入れ、更新ボタンをクリックすることで、ダイジェストを作成するための素材とする情報を選択することが可能となっている。図５の例は、あくまで一例であり、その他、ダイジェストを作成するための素材とする情報が格納されているフォルダを選択する形式やアイコンを選択する形式など種々の態様を採用することができる。
【００３４】
図６は、対象期間変更ボタン３２が起動された場合にダイジェスト生成条件受付部１１０により表示される対象期間設定画面の例である。図６の例では、生成モードのドロップダウンリストから、日単位、週単位、月単位、季節単位といったダイジェストの生成単位を選択可能となっている。また、年選択、月選択、日選択のドロップダウンリストから、ダイジェストを生成する過去の日時を選択可能となっている。例えば、図６のドロップダウンリストを操作して、生成単位＝日単位を選択し、２０１１年２月８日を指定すると、２０１１年２月８日にユーザが入力した情報を元にしたダイジェストが生成されることになる。なお、選択した生成モードに応じて、年選択、月選択、日選択のドロップダウンリストを変更するようにしてもよい。例えば、生成モードとして月単位が選択された場合、日選択のドロップダウンリストを非表示とするようにしてもよい。例えば、生成モードとして週単位が選択された場合、日選択のドロップダウンリストに代えて、週選択のドロップダウンリストを表示するようにしてもよい。また、図６に示した方法のほか、情報に付与された日時情報の範囲（起点と終点）を任意に設定できるようにしてもよい。また、日単位よりも細かく、午前午後や時間を指定できるようにしてもよい。
【００３５】
素材抽出部１２０は、上記のように設定された条件を用いて、アプリデータ管理部２１０経由で、通信データ記憶部２０１〜メモデータ記憶部２０５に格納されたデータを抽出して抽出データ記憶部１２１に格納する手段である。素材抽出部１２０は、上記した情報抽出手段１２に相当する。
【００３６】
本実施形態では、素材抽出部１２０は、種々の情報を一括して取り扱えるようにするため、データをそのまま抽出するのではなく、所定のテキストファイルに変換してから、抽出データ記憶部１２１に記憶する。
【００３７】
図７は、抽出データ記憶部１２１に格納されるデータの構造を示す図である。図７の例では、条件に適合するデータが抽出される都度、ＩＤ、データ種別が付与され、日付情報（開始日）以下のカラムデータを持つテキストファイルが生成される。
【００３８】
ダイジェスト生成部１３０は、ダイジェスト生成ルール記憶部１１２に記憶されたダイジェスト生成ルールに従って、抽出データ記憶部１２１に格納されたデータから、ダイジェストを生成し、表示データ記憶部１３１に格納する。また、ダイジェスト生成部１３０は、ユーザの操作に応じて、表示データ記憶部１３１から要求されたダイジェストを読み出して、タッチパネル１４０に表示する。ダイジェスト生成部１３０およびタッチパネル１４０が、上記したダイジェスト生成出力手段１３に相当する。
【００３９】
図８は、ダイジェスト生成部１３０によって生成されるダイジェストの一例である。図８の例では、Ｐｅｏｐｌｅ３０１、Ｋｅｙｗｏｒｄｓ３０２、Ｐｈｏｔｏ３０３、Ｍｕｓｉｃ３０４、Ｓｃｈｅｄｕｌｅ３０５、Ｓｐｅｃｉａｌ３０６といった複数の項目別に要約をまとめる形式のダイジェスト３３が示されている。本実施形態では、このほかに、ダイジェストの表紙を生成するが、これについては後に説明する。
【００４０】
図８の項目Ｐｅｏｐｌｅ３０１には、指定された期間にユーザが電子メール、ＳＮＳ、通話などにより、コミュニケーションを取った人物名（通信相手）やユーザのコミュニケーション活動を象徴する文言を表示するエリアが設けられている。
【００４１】
図８の項目Ｋｅｙｗｏｒｄｓ３０２には、指定された期間にユーザが入力したテキスト中に頻出するキーワードを含む文言やキーワード列を表示するエリアが設けられている。
【００４２】
図８の項目Ｐｈｏｔｏ３０３には、指定された期間にユーザが撮影した写真や動画の撮影日時や場所等を含む文言を表示するエリアが設けられている。
【００４３】
図８の項目Ｍｕｓｉｃ３０４には、指定された期間にユーザが多く再生した楽曲のアーティスト名や楽曲名を含む文言を表示するエリアが設けられている。
【００４４】
図８の項目Ｓｃｈｅｄｕｌｅ３０５には、指定された期間のユーザのスケジュールに頻出している用件名や当該スケジュールを象徴する文言を表示するエリアが設けられている。
【００４５】
図８の項目Ｓｐｅｃｉａｌ３０６には、指定された期間にユーザやその友人等の特別日がある文言を表示するエリアが設けられている。
【００４６】
ダイジェスト生成ルール記憶部１１２には、前記抽出したデータからダイジェストを生成するための規則（ダイジェスト生成ルール）が記憶される。
【００４７】
以下、上記した各項目毎に、図８のダイジェストを作成するためのダイジェスト生成ルールを説明する。以下、表示行フィールドは、各項目における表示行を示し、優先度フィールドは、複数の条件が競合する場合の優先度を示している。
【００４８】
図９は、項目Ｐｅｏｐｌｅ３０１に表示する文言を作成するためのダイジェスト生成ルールを示す図である。具体的には、抽出データ記憶部１２１に格納されたデータのうちのデータ種別（図７参照）が通信データ（メール、ＳＮＳ、通話）であるデータの数や種類（場合分け条件）と生成モードに応じて、項目Ｐｅｏｐｌｅ３０１に表示する文言が決定される。例えば、指定期間における通話、電子メール、ＳＮＳの履歴が何も無い場合、「Ｎｏ  Ｈｉｓｔｏｒｙ．．．」「  Ｏｈ．．．ｓｏｍｅｏｎｅ  ｉｓ  ｍｉｓｓｉｎｇ  ｕ！」という文言が選択される。また例えば、特定の相手との通話や電子メールでやり取りした履歴がある場合、コミュニケーションを行った期間やコミュニケーションを行った相手の人数に応じて１行目には、「ａさんとの長電話」、「ａさんとｂさんとの会話」、「ａさんとのメール」といった文言が選択される。また、通話や電子メールの履歴はないが、ＳＮＳによる発言だけがあるような場合、その数（ｎ）を用いて、１行目には「ｎ件の投稿」といった文言が選択される。さらに、２行目以降に表示する文言としては、コミュニケーションを行った相手を列記した文言が作成される。
【００４９】
図１０は、項目Ｋｅｙｗｏｒｄｓ３０２に表示する文言を作成するためのダイジェスト生成ルールを示す図である。具体的には、抽出データ記憶部１２１に格納されたデータのうちのデータ種別（図７参照）がメモ（ＮＯＴＥ）であるデータの有無とその中の頻出キーワードを用いて、項目Ｋｅｙｗｏｒｄｓ３０２に表示する文言が決定される。例えば、指定期間における通話、メモデータが何も無い場合、「Ｎｏ  Ｃｏｍｍｅｎｔｓ？」「Ｓａｙ  Ｓｏｍｅｔｈｉｎｇ  Ｐｌｅｅｅｅａｓｅ：−）」という文言が選択される。一方、メモデータがある場合、その中で最も出現頻度の高いキーワードを用いて、生成モードに応じ、「ａな日」、「ａな日々」、「ａの頃」といった一行目に表示する文言が選択される。また、２行目以降には、生成モードが日単位である場合、新しく出てきた順にキーワードを並べた文言が選択され、生成モードが日単位以外である場合、出現頻度２番目以降のキーワードを出現頻度順に並べた文言が選択される。
【００５０】
図１１は、項目Ｐｈｏｔｏ３０３に表示する文言を作成するためのダイジェスト生成ルールを示す図である。具体的には、抽出データ記憶部１２１に格納されたデータのうちのデータ種別（図７参照）が写真または動画であるデータの数や付随する位置情報、時間情報を用いて、項目Ｐｈｏｔｏ３０３に表示する文言が決定される。例えば、指定期間における写真も動画も無い場合、「Ｎｏ  Ｐｈｏｔｏ．．．」「Ｓｈａｌｌ  ｕ  ｔａｋｅ  ｐｈｏｔｏ  ｏｒ  ｍｏｖｉｅ？」という文言が選択される。一方、写真がある場合、その写真のＥｘｉｆデータに含まれる位置情報や日時情報を用いて、生成モードに応じ、「ａの朝」、「ａを訪ねて」、「○時○分の撮影」といった文言が選択される。
【００５１】
図１２は、項目Ｍｕｓｉｃ３０４に表示する文言を作成するためのダイジェスト生成ルールを示す図である。具体的には、抽出データ記憶部１２１に格納されたデータのうちのデータ種別（図７参照）が楽曲の再生履歴であるデータを用いて、項目Ｍｕｓｉｃ３０４に表示する文言が決定される。例えば、指定期間における楽曲再生履歴が無い場合、「Ｎｏ  Ｍｕｓｉｃ．．．」「Ｈｅａｒ  ｙｏｕｒ  ｆａｖｏｒｉｔｅｓ！」という文言が選択される。一方、楽曲再生履歴がある場合、再生した楽曲のアーティスト名や曲面を用いて、生成モードに応じ、「ａを聴いた日々」、「ａが流れる（季節）」といった文言や、楽曲名やアーティスト名を列記した文言が選択される。
【００５２】
図１３は、項目Ｓｃｈｅｄｕｌｅ３０５に表示する文言を作成するためのダイジェスト生成ルールを示す図である。具体的には、抽出データ記憶部１２１に格納されたデータのうちのデータ種別（図７参照）がスケジュールであるデータを用いて、項目Ｓｃｈｅｄｕｌｅ３０５に表示する文言が決定される。例えば、指定期間におけるスケジュールデータが無い場合、「Ｎｏ  Ｓｃｈｅｄｕｌｅ？」「Ｍａｙｂｅ  ｕ  ｒ  ｔｏｏ  ｂｕｓｙ  ｔｏ  ｗｒｉｔｅ」という文言が選択される。一方、スケジュールデータがある場合、その件数や要件名を用いて、生成モードに応じ、「ａ三昧の日」、「ａばかり」、「忙しい日々」といった文言が選択される。
【００５３】
図１４は、項目Ｓｐｅｃｉａｌ３０６に表示する文言を作成するためのダイジェスト生成ルールを示す図である。具体的には、スケジュールや電話帳等に登録された友人等の誕生日が登録されているか否かや、利用開始からの日数に応じて、当該登録者の誕生日である旨や、利用開始からの日数を示す文言が決定される。
【００５４】
図１５は、図８に示したダイジェストのタイトルとなる文言を作成するためのダイジェスト生成ルールを示す図である。具体的には、抽出データ記憶部１２１に格納されたデータが何もないような場合には、「ある日のできごと」といった文言が選択され、電子メール、ＳＮＳ、メモ（ＮＯＴＥ）、スケジュールデータがある場合、その中の頻出キーワードを用いて「ａのこと」、「ａについて」、「ａとｂ」といった文言が選択される。
【００５５】
図１６は、上記図９〜図１５に示したダイジェスト生成ルールを用いて、ダイジェスト生成部１３０が生成するダイジェストの表示データの構造を示す図である。図１６の表紙キーワードとしては、図１５のダイジェスト生成ルールによって生成された文言が格納される。また、Ｐｅｏｐｌｅキーワード以下には、図９以下のダイジェスト生成ルールによって生成された文言が格納される。
【００５６】
続いて、本実施形態の動作について図面を参照して詳細に説明する。図１７は、本実施形態の携帯端末の動作を表したフローチャートである。以下の説明では、図５、図６に示す画面から、データの抽出条件等のダイジェストの生成条件が入力されているものとして説明する。
【００５７】
図１７を参照すると、まず、ダイジェストの生成操作またはダイジェストの生成条件が成立すると（ステップＳ００１のＹｅｓ）、素材抽出部１２０が、抽出条件記憶部１１１に記憶された条件を参照して、通信データ記憶部２０１〜メモデータ記憶部２０５からデータを抽出し、抽出データ記憶部１２１に格納する（ステップＳ００２）。
【００５８】
次に、ダイジェスト生成部１３０が、ダイジェスト生成ルール記憶部１１２に記憶されたダイジェスト生成ルールを参照して、ダイジェストを表示するための表示データを生成し、表示データ記憶部１３１に格納する（ステップＳ００３）。
【００５９】
次に、ダイジェスト生成部１３０は、前記表示データを用いて、タッチパネル１４０にダイジェストを表示する（ステップＳ００４）。
【００６０】
ユーザは、表示されたダイジェストを参照して、必要があれば、図５、図６に示す画面を呼び出して、ダイジェスト生成条件を変更する（ステップＳ００５のＹｅｓ、ステップＳ００６）。例えば、ダイジェスト生成条件として設定した期間においてデータが何もない場合、図１８に示すようなダイジェスト３３ａが生成される。この場合、ユーザは、再度ダイジェスト生成条件として設定した期間を変更したり、対象とする情報種別を増やすことでダイジェストの再作成を試みることができる。
【００６１】
図１９は、図１７のステップＳ００４で表示されるダイジェストの例である。図１９の例では、日付の下に、図１５のダイジェスト生成ルールを用いて生成されたタイトル３４ａを配置したダイジェストの表紙となる画面３４と、図９〜図１４に示したダイジェスト生成ルールを用いて生成された各項目に文言を配置したダイジェスト本文の画面３３とを相互に切り替え可能となっている。
【００６２】
以上のように、本実施形態によれば、ユーザに、任意の日、週、月、季節といった期間における自身のコミュニケーション履歴や行動を要約したダイジェストを生成、表示することが可能となる。これにより、ユーザは、過去の出来事等を簡単に振り返ることが可能となる。
【００６３】
なお、上記図９〜図１５に示したダイジェスト生成ルールは、あくまで一例を示したものであり、種々の変更を加えることができるのはいうまでもない。例えば、上記図９〜図１５に示したダイジェスト生成ルールの文言フィールドや場合分け条件フィールドを変更することで、図２０に示すようなダイジェスト３３ｂを生成することもできる。図２０の例では、電子メールの送信者が、ダイジェストの生成条件として設定した期間から起算して長い間コミュニケーションを取っていない友人からのものであると判定されたため、項目Ｐｅｏｐｌｅ３０１に「旧友からの手紙」といった文言が表示されている。また、図２０の例では、ダイジェストの生成条件として設定した期間において大量の写真が撮られているため、項目Ｐｈｏｔｏ３０３に「写真日和」という文言が表示されている。
【００６４】
また、図８、図１９、図２０に示したダイジェスト上の項目やそのレイアウトも種々の変更を加えることが可能であり、例えば、新聞記事のように段組をしたレイアウトや、各種ポータルサイトのトップページを擬したレイアウトを採用してもよい。また、図８、図１９、図２０に示した各ダイジェスト上のキーワード等に、これらキーワードに対応する情報源へのリンクを張ってもよい。例えば、図７、図１６に示すデータ構造に各情報へのパス情報を格納するカラムを追加し、項目Ｐｅｏｐｌｅ３０１〜項目Ｓｐｅｃｉａｌ３０６に表示されたキーワードをタップないしクリックすることで、通信データ記憶部２０１〜メモデータ記憶部２０５に格納されているデータを表示できるようにする。このようにすれば、ダイジェストを見て過去の出来事を思い出し、その詳細を即座に確認できるため、情報処理装置１００に格納された雑多の情報へのアクセス性を向上させることができる。
【００６５】
［第２の実施形態］
続いて、上記した第１の実施形態に変更を加えた第２の実施形態について図面を参照して詳細に説明する。図２１は、本発明の第２の実施形態の情報処理装置によって表示されるダイジェストの例である。基本的なレイアウトは、上記した第１の実施形態と同様であるが、下部に第２のダイジェスト３３１が表示されている点で相違している。その他基本的な構成は上記した第１の実施形態と共通するので、以下、第２のダイジェスト３３１を含むダイジェスト３３ｃを表示させる仕組みについて説明する。
【００６６】
図２２は、本実施形態の情報処理装置１００ａの構成を表わしたブロック図である。基本的な構成は、上記した第１の実施形態の情報処理装置１００と同様であるが、ダイジェスト生成部１３０内に、第２ダイジェスト生成部１３０ａが追加されている点で相違している。
【００６７】
図２３は、第２ダイジェスト生成部１３０ａが第２のダイジェスト３３１を生成するためのダイジェスト生成ルールを示す図である。図９〜図１５に示したダイジェスト生成ルールとの相違点は、順序フィールドが設けられている点である。前記順序に従い、ネットワーク経由で取得した天候データや、抽出データ記憶部１２１に格納されたデータを用いて、場合分け条件に適合する文言を羅列した文章が生成される。例えば、「晴れ。こどもの日、Ａさんの誕生日、朝から会議、Ｂを聴いた。」といった文章が作成されることになる。
【００６８】
図２４は、上記図９〜図１５および図２３に示したダイジェスト生成ルールを用いて、ダイジェスト生成部１３０が生成するダイジェストの表示データの構造を示す図である。図１６に示した表示データとの相違点は、末尾にＥｘｔｒａキーワードというカラムが追加されている点であり、このカラムに、上記図２３に示したダイジェスト生成ルールを用いて生成された文章が格納される。
【００６９】
以上のような、本発明の第２の実施形態によれば、ダイジェストの生成条件として設定した期間における出来事やコミュニケーション履歴を要約した第２のダイジェスト３３１をユーザに提示することができる。
【００７０】
なお、第２のダイジェスト３３１は、図２３のダイジェスト生成ルールを用いて作成されるような文章の体裁のものに限られない。例えば、ダイジェストの生成条件として設定した期間において撮影された写真や、電子メールに添付されたファイルに、これらに関連する文言を添えたもの等を順次表示するようなコンテンツとすることもできる。この場合、図２５に示すように、ダイジェスト３３ｄの下部にスライドショーボタン３３２を設けて第２のダイジェストを閲覧できるようにすればよい。
【００７１】
また、ダイジェスト生成ルールにおける設定期間の長短や、同じ期間内であっても情報の多寡等に応じて、種々の情報の種別の配分や重み付けを変更することも好ましい。たとえば、前記期間が１ヶ月等の長めの期間の場合、主に写真データを見せるようなダイジェスト生成ルールを好ましく採用できる。また例えば、情報処理装置がテキスト読み上げ機能を備えており、読み上げ機能でダイジェストを出力できるような場合、テキスト中心に抽出するダイジェスト生成ルールを設定してもよい。
【００７２】
［第３の実施形態］
続いて、上記した第１の実施形態に変更を加えた第３の実施形態について図面を参照して詳細に説明する。図２６は、本発明の第３の実施形態の構成を示すブロック図である。基本的な構成は、上記した第１の実施形態と同様であるが、情報処理装置１００ｂが参照する情報源として、ネットワークを経由してアクセスされる他ユーザのデータ記憶部２０６が追加されている点で相違している。
【００７３】
他のユーザのデータ記憶部２０６は、例えば、家族や友人、あるいは、職場のグループなどの他のユーザの通信データ、スケジュールデータ、撮像データ、楽曲再生履歴データ、メモデータ等が記憶されている。
【００７４】
記憶的な動作は上記した第１の実施形態と同様であるが、本実施形態によれば、図５に示すような対象情報設定画面において、これら他のユーザのデータをダイジェストに追加することができる。この結果、家族や友人、あるいは、職場のグループといった複数のユーザが行ったコミュニケーション履歴や行動を要約したダイジェストを参照することが可能となる。また、図５に示すような対象情報設定画面において、自身のデータを除外することで、家族や友人、あるいは、職場のグループといった特定のメンバが行ったコミュニケーション履歴や行動を要約したダイジェストを参照することが可能となる。
【００７５】
［第４の実施形態］
続いて、上記した第１の実施形態に変更を加えた第４の実施形態について図面を参照して詳細に説明する。図２７は、本発明の第４の実施形態の携帯端末に表示される画面の例である。
【００７６】
図２７に示すように、本発明の第４の実施形態では、図６に示すような対象期間設定画面に加えて、電子メールの閲覧中に、任意の受信メールや送信メールを選択して、その受信日時を基準としてダイジェストを生成可能となっている。このようにして生成されたダイジェストには、ある友人からメールを受信したときに、よく聴いていた楽曲や、スケジュールの要旨が含まれるため、過去の出来事を容易に振り返ることが可能となる。
【００７７】
以上のように、本発明の第４の実施形態によれば、ダイジェストの生成条件として設定した期間の設定が容易化される。なお、図２７に示した電子メール閲覧画面のほか、スケジュール機能の月刊カレンダ、週間カレンダの表示画面、あるいは、写真閲覧画面などからも、図２６のように、その日時、撮影日時を基準としてダイジェストを生成できるようにしてもよい。この場合も、過去のスケジュールや写真を撮影したときに、よく聴いていた楽曲や、コミュニケーションの履歴を含んだダイジェストを作成することが可能となる。
【００７８】
以上、本発明の各実施形態を説明したが、本発明は、上記した実施形態に限定されるものではなく、本発明の基本的技術的思想を逸脱しない範囲で、更なる変形・置換・調整を加えることができる。例えば、ダイジェストの素材となるデータを収集する情報源としては、上記した実施形態で取り上げたもののほか、（マイクロ）ブログにおける発言、動画プレーヤーの再生履歴、アドレス帳（電話帳）、ブラウザでのサイト閲覧履歴、テレビの視聴履歴、近距離通信での通信、電子マネー・電子チケットの使用履歴、ゲームのプレイ履歴、電子書籍の閲覧履歴、ボイスレコーダでの録音機能や音声認識機能の利用履歴、ＧＰＳやセンサ類（加速度センサ、脈拍・体温等の生体センサ、温湿度センサ等）の測定履歴、プロジェクタ機能の利用履歴、翻訳・通訳エンジンの利用履歴、物体認識機能・文字認識機能の履歴を含めることができる。この場合において、メール本文とそのメールに添付した写真、ユーザが行った場所とその場所での買い物履歴、スケジューラのイベントと（マイクロ）ブログや電子メール等で述べたそのイベントに関する感想といった互いに関連する情報が関連付けられたダイジェストを作成するようにしてもよい。
【００７９】
また、上記した実施形態では、情報種別と、期間を用いて、ダイジェストの生成条件を設定するものとして説明したが、ユーザ（情報処理装置）が位置していた場所情報等を条件に加えることもできる。ＧＰＳや接続する基地局情報などのユーザ（情報処理装置）の位置情報が各情報に紐付けられている必要があるが、このようにすれば、例えば、特定の場所に最後に行った時から現在までのダイジェストを作成したり、特定の場所にいた期間のダイジェストを作成することが可能になる。
【００８０】
また、上記した実施形態では、抽出データ記憶部１２１に格納したデータを用いてダイジェストを作成するものとして説明したが、画像、動画像、音楽、フォント、文体等をウェブから適切なものをダウンロードし、ダイジェストに含めるようにしてもよい。例えば、項目Ｋｅｙｗｏｒｄｓ３０２に表示するキーワードや項目Ｍｕｓｉｃ３０４に表示するアーティストに関連する画像等をダイジェストに含めることも可能である。
【００８１】
また、上記した実施形態では、タッチパネル１４０にダイジェストを表示するものとして説明したが、スピーカ等からダイジェストを読み上げても良い。また、情報処理装置のほか、情報処理装置に接続された他の周辺機器や他のユーザの端末から、ダイジェストを出力するようにしてもよい。例えば、図１５、図２３に示した表示データを、電子メールや近距離無線通信で、他のユーザと交換し、お互いのダイジェストを閲覧するといった形態も採用可能である。
【００８２】
また、上記した実施形態では、ダイジェストに用いる文体やフォントについては触れなかったが、ダイジェストを出力する文体（接尾語、感動詞、記号、顔文字・絵文字等）やフォントを指定できるようにしてもよい。
【符号の説明】
【００８３】
１０、１００、１００ａ、１００ｂ  情報処理装置
１１  条件設定受付手段
１２  情報抽出手段
１３  ダイジェスト生成出力手段
２０  情報源
３３、３３ａ、３３ｂ、３３ｃ、３３ｄ、３４  ダイジェスト
３４ａ  タイトル
３１  対象情報変更ボタン
３２  対象期間変更ボタン
１１０  ダイジェスト生成条件受付部
１１１  抽出条件記憶部
１１２  ダイジェスト生成ルール記憶部
１２０  素材抽出部
１２１  抽出データ記憶部
１３０  ダイジェスト生成部
１３０ａ  第２ダイジェスト生成部
１３１  表示データ記憶部
１４０  タッチパネル
２０１  通信データ記憶部
２０２  スケジュールデータ記憶部
２０３  撮像データ記憶部
２０４  楽曲再生履歴記憶部
２０５  メモデータ記憶部
２０６  他ユーザのデータ記憶部
２１０、２１０ａ  アプリデータ管理部
３０１〜３０６  ダイジェスト上の項目
３３１  第２のダイジェスト
３３２  スライドショーボタン
【図１】
2012242862.tif 000003
【図２】
2012242862.tif 000004
【図５】
2012242862.tif 000005
【図６】
2012242862.tif 000006
【図７】
2012242862.tif 000007
【図１２】
2012242862.tif 000008
【図１６】
2012242862.tif 000009
【図１７】
2012242862.tif 000010
【図２２】
2012242862.tif 000011
【図２４】
2012242862.tif 000012
【図２６】
2012242862.tif 000013
【図３】
2012242862.tif 000014
【図４】
2012242862.tif 000015
【図８】
2012242862.tif 000016
【図９】
2012242862.tif 000017
【図１０】
2012242862.tif 000018
【図１１】
2012242862.tif 000019
【図１３】
2012242862.tif 000020
【図１４】
2012242862.tif 000021
【図１５】
2012242862.tif 000022
【図１８】
2012242862.tif 000023
【図１９】
2012242862.tif 000024
【図２０】
2012242862.tif 000025
【図２１】
2012242862.tif 000026
【図２３】
2012242862.tif 000027
【図２５】
2012242862.tif 000028
【図２７】
2012242862.tif 000029